(57)【特許請求の範囲】
【請求項１】
鉄骨柱の下端部の中央部分を鉄筋コンクリート躯体上面に回転可能に接合するようにしたピン接合形式の露出型鉄骨柱接合構造において、
雄ネジ部が上端部に形成され、該雄ネジ部下に軸体部が形成された棒鋼と、該棒鋼の該軸体部に、その側方から少なくとも２枚一組で、それらの側縁同士が当該軸体部を挟んで互いに向かい合わせで接合されるせん断プレート材と、これらせん断プレート材の雄ネジ部側上縁に接合され、これらせん断プレート材同士を相互に連結する拘束プレート材とを備えるアンカー部材を用い、
上記拘束プレート材が上記鉄筋コンクリート躯体上面に対し上から当接するように、上記せん断プレート材を含む上記軸体部を該鉄筋コンクリート躯体に埋設すると共に、
上記鉄筋コンクリート躯体上面から突出する上記棒鋼の上記雄ネジ部を、上記鉄骨柱の下端部の中央部分に締結したことを特徴とするピン接合形式の露出型鉄骨柱接合構造。
【請求項２】
前記棒鋼に挿通されて一体的に接合されるパイプ材を用い、前記せん断プレートを、上記棒鋼の軸体部に接合することに代えて、上記パイプ材に接合することを特徴とする請求項１に記載のピン接合形式の露出型鉄骨柱接合構造。
【請求項３】
前記鉄筋コンクリート躯体は、基礎から立ち上げて構築された鉄筋コンクリート柱であることを特徴とする請求項１または２に記載のピン接合形式の露出型鉄骨柱接合構造。
【請求項４】
前記拘束プレート材が当接される前記鉄筋コンクリート躯体の上面と前記鉄骨柱の下端部との間には、隙間が設定されることを特徴とする請求項１〜３いずれかの項に記載のピン接合形式の露出型鉄骨柱接合構造。
【請求項５】
前記隙間には、前記拘束プレート材と前記鉄骨柱の下端部との間に挟み込んで、座金が設けられることを特徴とする請求項４に記載のピン接合形式の露出型鉄骨柱接合構造。
【請求項６】
前記せん断プレート材には、前記鉄骨柱を前記鉄筋コンクリート躯体側へ仮止めするための仮止め部材が設けられることを特徴とする請求項１〜５いずれかの項に記載のピン接合形式の露出型鉄骨柱接合構造。
【発明の詳細な説明】
【技術分野】
【０００１】
本発明は、曲げ変形の発生を抑制し得ると共に、鉄筋コンクリート躯体のコンクリート等の局部的な圧壊も防止し得、さらに、鉄筋コンクリート躯体のコンクリート断面の欠損を生じさせることがなくて、十分な引張耐力を確保することが可能なピン接合形式の露出型鉄骨柱接合構造に関する。
【背景技術】
【０００２】
鉄骨柱を用いる建築物では、鉄骨柱とＲＣ造基礎との接合構造や鉄骨柱とＲＣ造柱との接合構造として、これらＲＣ造基礎等のＲＣ造躯体上に鉄骨柱の下端部を露出して接合する露出型の接合構造が知られている。
【０００３】
露出型の接合構造のうち、ピン形式の接合構造は、必要せん断耐力及び必要引張耐力を確保しつつ、ＲＣ造躯体と鉄骨柱との間のモーメント伝達を極力抑えることを目的とした接合方式である。
【０００４】
通常、ピン形式による接合構造では、鉄骨柱とＲＣ造躯体とを接合するのに用いるアンカー部材としてのアンカーボルトの設置位置は、可能な限り、鉄骨柱のベースプレート中心付近に設定されている。このような設置位置に設定することで、アンカーボルトが負担する曲げモーメントを小さくすると共に、鉄骨柱に作用するせん断力や引張力に対し、アンカーボルトが大きな抵抗力を発揮できるようにしている。
【０００５】
露出型の鉄骨柱接合構造では、大きなせん断力が鉄骨柱に作用すると、これら鉄骨柱（ベースプレート）とＲＣ造躯体との接合部であるＲＣ造躯体上面付近に、応力が集中する。
【０００６】
応力集中が発生する接合部、特にピン形式による接合部では、上述したようにアンカーボルトはベースプレートの中心付近に接合されるのに対し、ＲＣ造躯体内部の鉄筋は、ベースプレートの外回りに配筋されているため、アンカーボルトの周囲は、鉄筋が存在しない無筋状態となっている。アンカーボルト周りが適切に補強されていないことから、せん断力を負担するアンカーボルトを介して、ＲＣ造躯体のコンクリートに局部的に圧壊が発生したり、また、それに伴って、アンカーボルト自体に曲げ変形が生じてしまうこととなっていた。
【０００７】
このような状況に至ると、鉄骨柱の水平変位が増大し、アンカーボルトには曲げモーメントに伴う負荷が加わってしまうため、結局、ピン形式の接合性能を十分に機能させることができなくなってしまうという問題点があった。
【０００８】
このような問題に対処し得る技術として、特許文献１が知られている。特許文献１の「補強管付アンカーボルト」は、アンカーボルトまわりの一体化された補強用鋼管によって、剪断力、曲げモーメントの耐力の増大によって、在来工法の盲点とされていた上下動に伴う地震耐力を著しく大きなものとすることができるなどの効果を有する補強管付アンカーボルトの提供を目的とし、耐力を有する補強用鋼管をアンカーボルトの外周部分に組み込んでいる。
【先行技術文献】
【特許文献】
【０００９】
【特許文献１】実開平６−６７５４４号公報
【特許文献２】特公平８−１０７９号公報
【発明の概要】
【発明が解決しようとする課題】
【００１０】
当該特許文献１は、ピン形式の露出型鉄骨柱接合構造に対応するものではないが、アンカーボルトの周囲に補強用鋼管を設けることで、アンカーボルト自体のせん断耐力を増大させ、曲げ変形を抑え得る。
【００１１】
しかし、特許文献１の開示構成では、アンカーボルトを介して、ＲＣ造躯体のコンクリートが局部的に圧壊する問題を解決することはできない。さらに、アンカーボルトの外径に対して大きな補強用鋼管を設ける構成であるため、アンカーボルト下端の定着部（側面Ｊ状部）と対抗するコンクリートの断面（いわゆるコーン状破壊に対する水平有効投影面積）が欠損し、引張耐力が低下することが懸念される。
【００１２】
なお、ＲＣ造躯体として、曲げモーメントが「０」になる高さまで立ち上げたＲＣ造柱に、鉄骨柱をピン形式で接合する露出型の接合構造が特許文献２で知られている。このような構造形式であっても、上述と同様の問題点が生じる。特許文献２の場合には、ＲＣ造柱の断面が基礎断面よりも小さいために、これら問題が顕著に発生するおそれがあった。
【００１３】
本発明は上記従来の課題に鑑みて創案されたものであって、曲げ変形の発生を抑制し得ると共に、ＲＣ造躯体のコンクリート等の局部的な圧壊も防止し得、さらに、ＲＣ造躯体のコンクリート断面の欠損を生じさせることがなくて、十分な引張耐力を確保することが可能なピン接合形式の露出型鉄骨柱接合構造を提供することを目的とする。
【課題を解決するための手段】
【００１４】
本発明に係るピン接合形式の露出型鉄骨柱接合構造は、鉄骨柱の下端部の中央部分を鉄筋コンクリート躯体上面に回転可能に接合するようにしたピン接合形式の露出型鉄骨柱接合構造において、雄ネジ部が上端部に形成され、該雄ネジ部下に軸体部が形成された棒鋼と、該棒鋼の該軸体部に、その側方から少なくとも２枚一組で、それらの側縁同士が当該軸体部を挟んで互いに向かい合わせで接合されるせん断プレート材と、これらせん断プレート材の雄ネジ部側上縁に接合され、これらせん断プレート材同士を相互に連結する拘束プレート材とを備えるアンカー部材を用い、上記拘束プレート材が上記鉄筋コンクリート躯体上面に対し上から当接するように、上記せん断プレート材を含む上記軸体部を該鉄筋コンクリート躯体に埋設すると共に、上記鉄筋コンクリート躯体上面から突出する上記棒鋼の上記雄ネジ部を、上記鉄骨柱の下端部の中央部分に締結したことを特徴とする。
【００１５】
前記棒鋼に挿通されて一体的に接合されるパイプ材を用い、前記せん断プレートを、上記棒鋼の軸体部に接合することに代えて、上記パイプ材に接合することを特徴とする。
【００１６】
前記鉄筋コンクリート躯体は、基礎から立ち上げて構築された鉄筋コンクリート柱であることを特徴とする。
【００１７】
前記拘束プレート材が当接される前記鉄筋コンクリート躯体の上面と前記鉄骨柱の下端部との間には、隙間が設定されることを特徴とする。
【００１８】
前記隙間には、前記拘束プレート材と前記鉄骨柱の下端部との間に挟み込んで、座金が設けられることを特徴とする。
【００１９】
前記せん断プレート材には、前記鉄骨柱を前記鉄筋コンクリート躯体側へ仮止めするための仮止め部材が設けられることを特徴とする。
【発明の効果】
【００２０】
本発明に係るピン接合形式の露出型鉄骨柱接合構造にあっては、曲げ変形の発生を抑制できると共に、ＲＣ造躯体のコンクリート等の局部的な圧壊も防止することができ、さらに、ＲＣ造躯体のコンクリート断面の欠損を生じさせることがなくて、十分な引張耐力を確保することができる。
【図面の簡単な説明】
【００２１】
【図１】本発明に係るピン接合形式の露出型鉄骨柱接合構造の好適な一実施形態を示す一部破断正面図である。
【図２】図１のピン接合形式の露出型鉄骨柱接合構造に適用されるアンカー部材を示す斜視図である。
【図３】鉄骨柱にブレースが取り付けられる場合、図２のアンカー部材のせん断プレート材が配置される向きを示す概略平面図である。
【図４】ピン接合形式の露出型鉄骨柱接合構造におけるせん断力、水平変位及び圧壊の様子を説明するための説明図である。
【図５】図２のアンカー部材の変形例を示す斜視図である。
【図６】図５に示したアンカー部材による鉄骨柱の仮止め施工手順を説明する説明図である。
【図７】図２のアンカー部材の他の変形例を示す斜視図である。
【図８】図２のアンカー部材のさらに他の変形例を示す斜視図である。
【図９】図２のアンカー部材のさらに他の変形例を示す斜視図である。
【図１０】図９のアンカー部材の変形例を示す分解斜視図である。
【図１１】図２のアンカー部材のさらに他の変形例を示す分解斜視図である。
【発明を実施するための形態】
【００２２】
以下に、本発明にかかるピン接合形式の露出型鉄骨柱接合構造の好適な一実施形態を、添付図面を参照して詳細に説明する。図１に示すように、本実施形態に係るピン接合形式の露出型鉄骨柱接合構造は、ＲＣ造躯体として、ＲＣ造柱８上に、中空筒体状の鉄骨柱５を接合する場合が例示されている。
【００２３】
ＲＣ造柱８は、基礎上に立ち上げられ、下端部固定のラーメン構造においてモーメントが「０」となる、階層のおおよそ中間高さ位置まで構築される。鉄骨柱５は、モーメントが「０」となるＲＣ造柱８上に設置されて、ピン接合形式で接合される。
【００２４】
構造力学上、ピン接合形式は、ＲＣ造柱８に対して鉄骨柱５が回転可能な接合方式であって、この場合、鉄骨柱５の下端部に接合したベースプレート６の中央部分やその近辺のみがＲＣ造柱８の上面８ａに対し接合される。
【００２５】
鉄骨柱５は、ＲＣ造柱８に、単一のアンカー部材１を用いて接合される。アンカー部材１は主に、真直な丸鋼などの棒鋼２と、四角形状で平坦な複数枚のせん断プレート材３と、リング状で平坦な拘束プレート材４とから構成される。これらプレート材３，４の形状は一例であって、その他の形状であっても良い。これらプレート材３，４は、鋼板等の金属材によって形成される。
【００２６】
棒鋼２は、上下に立てて用いられるもので、上端部には雄ネジ部２ａが形成される。雄ネジ部２ａは、鉄骨柱５下端部のベースプレート６に形成した挿通孔に挿入されてナット７が螺着され、これにより棒鋼２が鉄骨柱５と締結される。棒鋼２は、雄ネジ部２ａ下の軸体部２ｂがＲＣ造柱８に埋設されることにより、ＲＣ造柱８の上面８ａから突出される。
【００２７】
せん断プレート材３は、雄ネジ部２ａ下方の軸体部２ｂに接合される。せん断プレート材３は、２枚一組で接合される。せん断プレート材３は、軸体部２ｂの側方から、軸体部２ｂに面する側縁３ａ同士が当該軸体部２ｂを挟んで互いに向かい合う配置で、軸体部２ｂに接合される。せん断プレート材３は、複数組を接合しても良く、図示例では、二組接合されている。複数組接合する場合、これらせん断プレート材３は、軸体部２ｂを中心に、放射状の配列で棒鋼２に接合されることになる。
【００２８】
特に、図３に示すように、鉄骨柱５にブレース９が取り付けられる場合、ブレース９の取り付け方向に沿って鉄骨柱５に作用するせん断力をせん断プレート材３で効果的に負担するために、棒鋼２に接合するせん断プレート材３のうち、いずれかの２枚一組のせん断プレート材３は、ブレース９に対し直交するように位置付けられて、ＲＣ造柱８中に埋設される。
【００２９】
せん断プレート材３は軸体部２ｂに溶接接合によって接合される。溶接接合に限らず、ガス圧接など、その他の接合方法を用いても良いことはもちろんである。
【００３０】
リング状の拘束プレート材４は、棒鋼２に雄ネジ部２ａ側から挿入され、複数枚のせん断プレート材３の雄ネジ部側上縁３ｂに接合される。拘束プレート材４は、せん断プレート材３同士を相互に連結する。すなわち、拘束プレート材４は、棒鋼２周りに沿って複数のせん断プレート材３を繋ぐ。拘束プレート材４の外形寸法は、鉄骨柱５の外径よりも小さく、かつせん断プレート材３の上縁３ｂの長さよりも僅かに小さく設定することが好ましい。拘束プレート材４の穴径は、棒鋼２へ挿入し得るように、棒鋼２の外径よりも僅かに大きく形成される。
【００３１】
拘束プレート材４はせん断プレート材３に溶接接合によって接合される。溶接接合に限らず、ガス圧接など、その他の接合方法を用いても良いことはもちろんである。拘束プレート材４は、棒鋼２と接合させても良いが、接合させないほうが、棒鋼２に生じる引張力が直接、せん断プレート材３や後述する定着部に伝達されるので好ましい。
【００３２】
拘束プレート材４は図１に示すように、せん断プレート材３を含む軸体部２ｂをＲＣ造柱８に埋設したとき、ＲＣ造柱８の上面８ａを押さえ込むために、当該ＲＣ造柱８の上面８ａに対し上から当接する位置に位置付けられる。詳細には、棒鋼２の軸体部２ｂは、せん断プレート材３の上縁３ｂがＲＣ造柱８の上面８ａと面一となり、かつせん断プレート材上縁３ｂの拘束プレート材４がＲＣ造柱８の上面８ａに上方から被さって接するような位置に埋設される。
【００３３】
本実施形態に係るアンカー部材１にはさらに、軸体部２ｂをＲＣ造柱８に定着させるための定着部が形成される。定着部は、棒鋼２の下端に形成される。図示例にあっては、棒鋼２の下端部に形成した下部雄ネジ部２ｃに定着板付のナット１０を螺合して形成される。定着部の形態はこれに限らず、棒鋼２を曲げ返した形態のフック部など、周知の各種定着構造を採用することができる。
【００３４】
また、本実施形態に係るアンカー部材１には、せん断プレート材３をＲＣ造柱８に定着させるためのプレート定着部が形成される。図示例にあっては、プレート定着部は、せん断プレート材３の表裏面から多数立設したスタットボルト１１で構成されている。スタッドボルト１１に代えて、せん断プレート材を貫通して締結したボルト・ナットであっても良い。プレート定着部の形態は、この他凹凸形態など、周知の各種定着構造を採用することができる。
【００３５】
アンカー部材１によって接合されるＲＣ造柱８の上面８ａと鉄骨柱５のベースプレート６との間には、ＲＣ造柱上面８ａに当接される拘束プレート材４によって、隙間Ｓが設定される。隙間Ｓにより、ＲＣ造柱８に対する鉄骨柱５の回転性能が向上される。
【００３６】
本実施形態にあっては、隙間Ｓにはさらに、拘束プレート材４に重ねて、当該拘束プレート材４とベースプレート６との間に挟み込んで鋼製のリング状座金１２が設けられる。座金１２の外径寸法は、当該座金１２によってＲＣ造柱８の上面８ａが損傷されないように、拘束プレート材４よりも小さく設定される。座金１２を設けることにより、鉄骨柱５の回転性能がさらに改善される。
【００３７】
本実施形態に係るピン接合形式の露出型鉄骨柱接合構造の作用について説明する。アンカー部材１は、せん断プレート材３を含む棒鋼２の軸体部２ｂがＲＣ造柱８に埋設され、棒鋼２の雄ネジ部２ａがＲＣ造柱８の上面８ａ上方へ突出されると共に、拘束プレート材４が当該ＲＣ造柱８の上面８ａに棒鋼２を取り囲んで当接される。ＲＣ造柱上面８ａに露出している雄ネジ部２ａには、拘束プレート材４に重ねて座金１２が装着される。
【００３８】
さらに、アンカー部材１の棒鋼２の雄ネジ部２ａは、上方から建て込まれる鉄骨柱５のベースプレート６のおおよそ中央部分やその周辺にナット７で締結される。これにより、鉄骨柱５の中央部分を、隙間Ｓ及び座金１２を介して、アンカー部材１によりＲＣ造柱８に接合したピン接合形式の露出型鉄骨柱接合構造が得られる。
【００３９】
そして、鉄骨柱５に外力が加わったとき、隙間Ｓ及び座金１２により、鉄骨柱５はＲＣ造柱８に対し、円滑な回転作用を呈する。このとき、アンカー部材１は、棒鋼２に加わるせん断力がせん断プレート材３によってＲＣ造柱８に安定して伝達されることにより、図４に示すような鉄骨柱５とＲＣ造柱８との間に作用するせん断力Ｑに対して十分に抵抗することができる。特に、ブレース９が鉄骨柱５に取り付けられる場合、せん断プレート材３を、ブレース９の取り付け向きと直交する向きに配置するようにしたので、効果的にせん断力に抵抗することができる。
【００４０】
また、互いに接合した拘束プレート材４とせん断プレート材３とにより、ＲＣ造柱上面８ａ及びその近傍のコンクリートを拘束することができるので、同じく図４に示すような棒鋼２周辺のコンクリートに生じる局部的な圧壊Ｃを防止できる。さらに、圧壊を防止できることにより、棒鋼２に生じる水平変位Ｘや曲げ変形を抑制することができる。
【００４１】
以上により、ピン接合形式の露出型鉄骨柱接合構造における鉄骨柱５とＲＣ造柱８との接合部で曲げ変形が生じることを確実に抑制することができる。
【００４２】
加えて、せん断プレート材３の配置が、棒鋼２を中心として、放射状の配列となるので、棒鋼２の下端に形成した定着部（定着板付きのナット１０）と対抗するＲＣ造柱８のコンクリートの断面（いわゆるコーン状破壊に対する水平有効投影面積）の欠損が最小限で済み、高い引張耐力を確保することができる。
【００４３】
以上説明したように、本実施形態に係るピン接合形式の露出型鉄骨柱接合構造にあっては、曲げ変形の発生を抑制することができると共に、ＲＣ造柱８のコンクリート等の局部的な圧壊も防止でき、さらに、ＲＣ造柱８のコンクリート断面の欠損を生じさせることがなくて、十分な引張耐力を確保することができる。
【００４４】
さらに、本実施形態では、棒鋼２に定着部を形成し、また、せん断プレート材３にプレート定着部（スタッドボルト１１）を形成したので、ＲＣ造柱８のコンクリートと棒鋼２及びせん断プレート材３の一体化を増強することができ、引張性能を向上することができる。
【００４５】
以上の説明では、ＲＣ造躯体として、ＲＣ造柱８を例示して説明したが、ＲＣ造基礎であっても、同様に適用して構成できることはもちろんである。ＲＣ造躯体の断面が大きい場合には、種々の対策を採用し得るが、本実施形態では、上記アンカー部材１の埋設のみによって構成することができるので、ＲＣ造柱の断面のように断面が小さい場合に有効に機能させることができる。
【００４６】
図５及び図６には、上記実施形態の変形例が示されている。この変形例は、ピン接合形式であって単一のアンカー部材１による接合では安定的に自立し難い鉄骨柱５を仮止めする機能を備えたピン接合形式の露出型鉄骨柱接合構造である。図５に示すように、せん断プレート材３には、軸体部２ｂと接合されない反対側の側縁３ｃに、仮止め部材として長ナット１３が接合される。
【００４７】
長ナット１３は、その長さ方向が鉄骨柱５の高さ方向に沿うように、せん断プレート材３に設けられる。また、長ナット１３の上端は、ネジ部材１４のねじ込みが可能なように、ＲＣ造柱上面８ａに露出される。図示例にあっては、４枚全てのせん断プレート材３に設けられているが、全てのせん断プレート材３に設けなくても良い。
【００４８】
図６には、施工状態が順次示されている。ベースプレート６には、長ナット１３位置に合わせて、仮止め用の挿通穴が貫通形成される。図６（Ａ）に示すように、ＲＣ造柱８から立ち上げるように、各長ナット１３にネジ部材１４を螺合しておき、上方から鉄骨柱５を建て込む。
【００４９】
ベースプレート６の挿通穴にネジ部材１４を挿通しつつ、鉄骨柱５を降ろして、ＲＣ造柱上面８ａに設置し、図６（Ｂ）に示すように、ベースプレート６上からネジ部材１４にナット１５を締結する。これにより鉄骨柱５をＲＣ造柱８側へ仮止めすることができる。
【００５０】
鉄骨柱５間に梁を連結するなどして、鉄骨柱５の建て方に関する各種周辺作業が完了したならば、図６（Ｃ）に示すように、ナット１５ごとネジ部材１４を長ナット１３から取り外す。せん断プレート材３に仮止め部材（長ナット１３）を備えたことにより、回転可能なピン接合形式であっても、アンカー部材１によって建て方中の鉄骨柱５を安定して仮止めすることができ、施工性を向上することができる。
【００５１】
図７には、アンカー部材１の変形例が示されている。この変形例は、プレート定着部を省略したものである。
【００５２】
図８には、他の変形例が示されている。この変形例は、図７に示したアンカー部材１のせん断プレート材３に、ＲＣ造柱８を構築するコンクリートの充填性を向上するために、その表裏面に向かって貫通する貫通孔１６が形成されている。
【００５３】
貫通孔１６を介して、せん断プレート材３周りにコンクリートが流通するので、アンカー部材１の定着性能を向上することができる。この貫通孔１６は、上記実施形態のプレート定着部を有するせん断プレート材３に形成しても良いことはもちろんである。これら変形例にあっても、上記実施形態と同様の作用効果を奏することはもちろんである。
【００５４】
図９には、さらに他のアンカー部材１が示されている。この変形例では、棒鋼２の下端部に形成される定着部が省略されている。この変形例の各せん断プレート材３は、せん断プレート材３のプレート面を拡張するために、軸体部２ｂの軸長方向に当該軸体部２ｂ外方へ延設した延設部３ｄを有する。そしてこれら延設部３ｄ同士が互いに接合されて、せん断プレート材３同士が一体化される。
【００５５】
具体的には、この変形例に用いられるせん断プレート材３は、軸体部２ｂに面する側縁が当該軸体部２ｂよりも長く形成され、この側縁の上部に、軸体部２ｂに嵌め合わされる切り欠き部３ｅが形成される。各せん断プレート材３は、それらの切り欠き部３ｅで軸体部２ｂと接合されると共に、切り欠き部３ｅ下の側縁下部３ｆ同士が互いに接合される。接合方法は、上述と同様である。
【００５６】
この変形例にあっては、ＲＣ造柱８に定着するせん断プレート材３のプレート面積を拡張することができ、さらに曲げ変形抑制作用及び引用耐力を増大することができる。
【００５７】
図１０には、図９に示したアンカー部材１の変形例が示されている。この変形例は、せん断プレート材３の延設部３ｄ同士を互いに接合することに基づき、いずれかの２枚一組のせん断プレート材３を一体化するようにしたものである。すなわち、２枚分の大きさを有する拡張せん断プレート材３ｘに、軸体部２ｂを嵌め込み得るスリット１７を形成している。
【００５８】
拡張せん断プレート材３ｘはスリット１７で軸体部２ｂに接合される。その他のせん断プレート材３は、図９に示したものと同様に、切り欠き部３ｅで軸体部２ｂに接合されると共に、側縁下部３ｆが拡張せん断プレート材３ｘに突き合わされて接合される。この変形例にあっては、部品点数及び接合箇所数を削減することができる。このような変形例であっても、上記実施形態と同様の作用効果を奏することはもちろんである。
【００５９】
図１１には、アンカー部材１のさらに他の変形例が示されている。この変形例は、棒鋼２として、異形鉄筋を用いる場合である。異形鉄筋の場合、せん断プレート材３を適切に接合するために、パイプ材１８が用いられる。
【００６０】
パイプ材１８は、その中空内部に棒鋼２相当の異形鉄筋が挿通され、これと一体的に接合される。パイプ材１８と異形鉄筋の接合は、例えばナットで締結したり、あるいは上記と同様の接合方法が採用される。せん断プレート材３は、パイプ材１８の周側面に接合される。異形鉄筋に限らず、丸鋼に対してパイプ材１８を用いても良いことはもちろんである。このような変形例にあっても、上記実施形態と同様の作用効果を奏することはもちろんである。
【００６１】
上記いずれの実施形態にあっても、鉄骨柱５が中空筒体状である場合について説明したが、Ｈ形鋼であっても良い。この場合、一般的にアンカー部材１は、ウエブに寄せてこれを挟んで２つ設けられ、それぞれベースプレート６と締結される。
【００６２】
上記いずれの実施形態にあっても、拘束プレート材４は、棒鋼２を取り囲むリング状である場合について説明したが、隣接するせん断プレート材３を棒鋼２周りに取り囲む形態であれば、複数のピースを環状に接合して形成しても良い。
【符号の説明】
【００６３】
１  アンカー部材
２  棒鋼
２ａ  雄ネジ部
２ｂ  軸体部
３  せん断プレート材
３ａ  側縁
３ｂ  雄ネジ部側上縁
４  拘束プレート材
５  鉄骨柱
８  鉄筋コンクリート柱
８ａ  上面
１２  座金
１３  長ナット
Ｓ  隙間
【図１】
0005701158.tif 000002
【図２】
0005701158.tif 000003
【図３】
0005701158.tif 000004
【図４】
0005701158.tif 000005
【図５】
0005701158.tif 000006
【図６】
0005701158.tif 000007
【図７】
0005701158.tif 000008
【図８】
0005701158.tif 000009
【図９】
0005701158.tif 000010
【図１０】
0005701158.tif 000011
【図１１】
0005701158.tif 000012